(57)【特許請求の範囲】
【請求項１】
固体撮像素子の撮像面側に異方性を有する光学的透明板が配置されてなる固体撮像装置において、
該光学的透明板は４角形状であって、角に面取りを有し、該面取りは、該面取りの位置で方向判別を行うことにより、該光学的透明板が裏返った場合においても該光学的透明板の固体撮像素子に対する水平／垂直方向が変わることなく該光学透明基板の装着方向が規定できるように、隣接する２つの角に形成されている、
ことを特徴とする固体撮像装置。
【発明の詳細な説明】
【０００１】
【発明の属する技術分野】
本発明は、固体撮像装置に関し、特に、固体撮像素子の撮像面側に光学的透明板が配置されてなる固体撮像装置に関する。さらに詳しくは本発明は、装着方向が特定の方向であることを要する光学的透明板について、簡明な構成でかつ確実に正しい装着方向を規定できる固体撮像装置を提供するものである。
【０００２】
【従来の技術】
図６に従来の固体撮像装置の一例を示す。図６（ａ）は正面図、（ｂ）は図６（ａ）におけるＢ方向側面図、（ｃ）は同じくＣ−Ｃ’側断面図である。一般に固体撮像装置は、図６（ｃ）に示すように、固体撮像素子１が、凹型形状をしたパッケージ３の凹部に固着されるとともに、該固体撮像素子１は、パッケージ凹部内の内部リード（インナーリード）４ａと、ワイヤ５によるワイヤボンディング等の手段で電気的に接続されている。符号１２で固体撮像素子１の電極パッドを示す。内部リード４ａは、パッケージ外部の外部リード（アウターリード）４ｂと電気的に接続されている。よって上記により、固体撮像素子１と外部リード４ｂは電気的に接続されることになる。
【０００３】
固体撮像素子１の撮像面１１上には、光学的透明板２が設置される。特に、パッケージ３の上面が該光学的透明板２で気密封止される構造になっている。
【０００４】
この光学的透明板２は、解像度特性を劣化させる偽信号を抑制するために、光学的に高域周波数を減衰させるためのものである。二つの屈折波をもつ結晶、たとえば水晶等を用いて、該水晶板等を通過した入力光が二つの光出力に分かれることを利用して、偽信号を抑制するようにする（これについては、藤田欣裕「ＣＣＤカメラの性能と画質」昭和６３．１１、臨増・放送技術（Ｖｏｌ．４１，通巻４９４号）４１−４８頁、特に４１−４４頁参照）。このように撮像装置に用いる光学的透明板２は、複屈折の原理を用いてローパス特性を得るので、撮像面１１に対しては上記したようなローパス特性が発揮される方向で装着する必要がある。以下、このように複屈折特性を有する光学的透明板を、適宜「異方性を有する光学的透明板」などとも称することにする。かかる異方性を有する光学的透明板は、撮像素子に対する水平、垂直方向があらかじめ決まっており、この方向を誤ると、該光学的透明板はその役割を果たさない。よって、撮像素子チップに対する装着の方向は、特定される必要がある。
【０００５】
従来、固体撮像装置用の上述したような異方性を有する光学的透明板（光学的ローパスフィルタＯ．Ｌ．Ｐ．Ｆと通称される）の装着方向の判別は、代表的には以下に説明する３種の構造でなされていた。
【０００６】
第１の従来構造は、図６（ａ）（ｂ）（ｃ）に示すように、図６（ｂ）に現れている光学的透明板２の側面に塗料等で印６Ａを付けるものである。この構造では、図６から理解されるように、該当する側面側からしかその印６Ａを確認できないため、判別が難しいという問題がある。その上、印６Ａを構成する塗料等が他の材料と接触することで、溶けだしたりするおそれがある。
【０００７】
第２の従来構造は、図７（ａ）（ｂ）（ｃ）及び図８（ａ）（ｂ）（ｃ）に示すように（各図の（ａ）（ｂ）（ｃ）は、図６における（ａ）（ｂ）（ｃ）と対応。図９も同じ）、光学的透明板２の縦６Ｂと横６Ｃとの比を変えることにより、装着の方向性を定めるものである。この構造の場合、図７特に図７（ｃ）に示すように光学的透明板２の縦６Ｂを小さくして距離を縮める方向で縦横比を変えた場合、シール幅が符号６Ｄで示す大きさになり、シール幅が狭くなって、結果として耐湿性が下がる。逆に、図８特に図８（ｃ）に示すように光学的透明板２の縦６Ｂを大きくして距離を伸ばす方向で縦横比を変えた場合、該光学的透明板２の大きさに合わせてパッケージ３の外形を大きくしなければならないと言う問題がある。
【０００８】
第３の従来構造は、図９（ａ）（ｂ）（ｃ）に示すように、図９（ａ）（ｂ）に現れている光学的透明板２の端面部にスリット６Ｅを形成するものである。この構造では、図９（ａ）で示す該スリット６Ｅを入れた部分に、欠けや割れが発生しやすくなる。
【０００９】
【発明が解決しようとする課題】
本発明は上記従来技術の問題点に鑑みてなされたもので、塗料等で印を付けたり、スリットを形成したり、あるいは縦横の比を変えたりすることによる問題点が生じず、しかも簡明な構成でかつ確実に光学的透明板の正しい装着方向を規定できる固体撮像装置を提供することを目的とする。
【００１０】
【課題を解決するための手段】
本発明は、固体撮像素子の撮像面側に異方性を有する光学的透明板が配置されてなる固体撮像装置において、該光学的透明板は４角形状であって、角に面取りを有し、該面取りは、該面取りの位置で方向判別を行うことにより、該光学的透明板が裏返った場合においても該光学的透明板の固体撮像素子に対する水平／垂直方向が変わることなく該光学透明基板の装着方向が規定できるように、隣接する２つの角に形成されていることを特徴とする。
【００１１】
本発明によると、上記面取りにより固体撮像素子に対する光学的透明板の方向が決定され、容易かつ確実に所定方向での装着が可能となる。構造的にも隣接する２つの角に面取りを形成するだけでよいので簡明である。また、塗料等の印のような消失のおそれや判別のしにくさがなく、スリットのような割れ等の発生のおそれもなく、縦横の比を変えることによるシール性の問題や大きさの変更の必要性もない。
【００１２】
なお、実開平６−２８８１３号公報には、挿入方向が規定されるフィルターを装着したスライダーの挿入方向規定の技術として、所定の角にテーパ部を形成する提案がなされているが、このテーパ部はピンを押し下げる作用を示すことにより該テーパ方向のみの挿入を行うようにしたものであり、異方性の問題とは関係なく、本発明とは異なるものである。
【００１３】
【発明の実施の形態】
以下本発明の好ましい実施の形態について説明し、またその具体例について、図面を参照して説明する。但し当然のことではあるが、本発明は以下述べる実施の形態例に限定されるものではない。
【００１４】
本発明は、光学的透明板をおおむね４角形状をなす形態とし、該４角形状の隣接する２つの角に、上記面取りを形成する態様で好ましく実施できる。このようにすると、従来の仕様に対して大きな変更を要すること無く、本発明の目的を達成できる。
【００１５】
上記面取りは、方向判別を容易にするため、特徴的な面取りとすることが好ましい。
【００１６】
実施の形態例１
以下に、本発明の好ましい具体的な実施の形態例について、図１及び図２を参照して説明する。合わせて図３ないし図５を参照して、比較例を説明する。
【００１７】
図１に本例に係る固体撮像装置を示す。図１（ａ）は正面図、（ｂ）は図１（ａ）におけるＢ方向側面図、（ｃ）は同じくＣ−Ｃ’側断面図である。図１の構造は、上述した従来技術と同様、図１（ｃ）に示すように、固体撮像素子１が、凹型形状をしたパッケージ３の凹部に固着されるとともに、該固体撮像素子１は、パッケージ凹部内の内部リード（インナーリード）４ａと、ワイヤ５によるワイヤボンディング等の手段で電気的に接続されている。符号１２は固体撮像素子１の電極パッドである。内部リード４ａは、パッケージ外部の外部リード（アウターリード）４ｂと電気的に接続されている。上記により、固体撮像素子１と外部リード４ｂは電気的に接続される。
【００１８】
固体撮像素子１の撮像面１１上には、光学的透明板２が設置され、特に、パッケージ３の上面が該光学的透明板２で気密封止される構造になっている。ここで本実施の形態例に係る光学的透明板２は、次のような構造になっている。すなわち、図１（ａ）に示すように、本例の固体撮像装置に用いられている光学的透明板２（光学的ローパスフィルタＯ．Ｌ．Ｐ．Ｆ）は、正面から見て４角形状の板状をなす形態において、その隣接する２つの角に、特徴的な面取り２１，２２を設ける。この面取り２１，２２が、固体撮像素子チップに対する該光学的透明板２の方向を決定する役割を果たす。前記説明したように、光学的透明板には異方性があるので、固体撮像素子チップに対する水平、垂直方向があらかじめ決まっており、この方向を誤ると、該光学的透明板はその役割を果たさないので、その方向判別の手段として、隣接する２つの角に、特徴的な面取り２１，２２を設けるのである。
【００１９】
ここで、隣接する角に面取りがなければならない理由は次のとおりである。図２は、本例の光学的透明板２を示すが、図３ないし図５に示すように、隣接する２つの角以外の角に特徴的な面取りを設けた比較の場合は、上記方向判別の機能は果たさない。以下これについて述べる。図２ないし図５中、符号Ａ，Ｂはそれぞれ光の屈折方向を示したものである。
【００２０】
図３の比較例１は、光学的透明板２ａの１つの角に面取り２３を設けた例であるが、これは図の（ａ）の状態から裏返って回転して（ｂ）の状態になったとき、該面取り２３の位置で方向判別を行うと光学的透明板２ａの水平／垂直方向が入れ替わってしまう。図４の比較例２は、光学的透明板２ｂの隣接する角ではない対向する２つの角に面取り２４，２５を設けた例であるが、これも図の（ａ）の状態から裏返って回転して（ｂ）の状態になったとき、該面取り２４，２５の位置で方向判別を行うと光学的透明板２ｂの水平／垂直方向が入れ替わってしまう。図５の比較例３は、光学的透明板２ｃの３つの角に面取り２６，２７，２８を設けた例であるが、これも図の（ａ）の状態から裏返って回転して（ｂ）の状態になったとき、該面取り２６，２７，２８の位置で方向判別を行うと光学的透明板２ｃの水平／垂直方向が入れ替わってしまう。
【００２１】
これに対して、図２に示す本例の光学的透明板２の場合、隣接する２つの角に面取り２１，２２を設けたので、図の（ａ）の状態から裏返って回転して（ｂ）の状態になったときも、該面取り２１，２２の位置で方向判別を行うことにより、光学的透明板２の水平／垂直方向は変わらない。よって、光学的透明板２の役割は維持される。
【００２２】
以上の理由により、光学的透明板２の隣接する２つの角に特徴的な面取り２１，２２を設けることが、異方性を有する光学的透明板に用いる最も的確な方向判別の手法と言うことができる。
【００２３】
本例によれば、光学的透明板２の隣接する２つの角に特徴的な面取り２１，２２を設けたことにより、取り付け方向の判別が容易になり、取り付け方向の誤りを防止することが可能になる。これにより、誤った方向で取り付けた際に生じる画像の劣化も防止することができる。また、構造的にも簡明である。完成品を外観目視するだけで明瞭に異方性を持っている方向の確認ができ、撮像して確認するなどの必要性はない。かつ従来技術に比し、塗料等の印のような消失のおそれや判別のしにくさがない。スリットを入れる手法に比べ欠けや割れ等が発生し難くなる。縦横の比を変えることによるシール性の問題や大きさの変更の必要性もない。
【００２４】
【発明の効果】
上述したように、本発明によれば、従来技術の問題点が解決され、簡明な構成でかつ確実に光学的透明板の正しい装着方向を規定できる固体撮像装置を提供することができた。
【図面の簡単な説明】
【図１】  本発明の実施の形態例１の構成を示す図である。
【図２】  本発明の実施の形態例１の作用を説明する図である。
【図３】  比較例１を説明する図である。
【図４】  比較例２を説明する図である。
【図５】  比較例３を説明する図である。
【図６】  従来技術の構成を説明する図である。
【図７】  従来技術の構成を説明する図である。
【図８】  従来技術の構成を説明する図である。
【図９】  従来技術の構成を説明する図である。
【符号の説明】
Ｉ・・・固体撮像素子、１１・・・撮像面、２・・・光学的透明板、２１，２２・・・面取り。
【図１】
0004374675.tif 000002
【図２】
0004374675.tif 000003
【図３】
0004374675.tif 000004
【図４】
0004374675.tif 000005
【図５】
0004374675.tif 000006
【図６】
0004374675.tif 000007
【図７】
0004374675.tif 000008
【図８】
0004374675.tif 000009
【図９】
0004374675.tif 000010